(57)【要約】      （修正有）【課題】３次元化したＬＡＮ空間で、家庭とオフィスとをとわず、同様の操作で、それぞれの用途に見合った方法で、ＯＳの運用を可能とする。【解決手段】両者のＬＡＮを同一のＯＳで相互乗り入れ可能とするとともに、その操作性を簡便にするために、３次元ＯＳの構築を図り、また、通信手段として電力線や光など、急成長を遂げている技術に依存しない形での、全的なＯＳの設計を実現した。【選択図】図２８
2009054123.tif 000002
【特許請求の範囲】
【請求項１】
家庭電器製品と、パーソナルコンピューターやプリンタなどの、オフィスで使う通称のＬＡＮに含まれる電気製品を区別せず、同一のもので同等にＬＡＮを構築するＯＳである。
【請求項２】
部屋写真画像上でアイコン化された電気製品のアイコン処理および操作を基本とする諸制御を構築するＯＳである。
【請求項３】
画面表示で３次元化を図るＯＳである。
【請求項４】
アイコンの拡張的な機能により、アイコンのカテゴリー的な分類・画面表示によってファイル管理を容易にするＯＳである。
【請求項５】
機能が豊富になった反面、リモコンや盤面での操作がし難くなった電気製品の制御を、ＰＣの画面上で行うことによって容易にしたＯＳである。
【請求項６】
ひとつの形態例として、画像処理用に独立した演算装置をもち、周辺デバイスとの通信用に一定の形式で定義された機能をもつインターフェイスをパソコンに搭載するＯＳである。演算装置を含めてそれらの機能は、既存のＰＣだけの再構築でもよいし、新規追加があってもよい。
【請求項７】
ＬＡＮに接続する電気製品には、当然に何らかの応答性を具現する装置が必要となるが、〔請求項６〕との対称性から、周辺機器に搭載するインターフェイスを一定の形式で定義するＯＳである。
【請求項８】
ＬＡＮを構築するには信号整理のためのソフトやハードが必要であるが、中継器は、伝送路を電力線一つに限った場合のための、混信除去と割り込み信号制御を目的とする信号整理装置である。
【請求項９】
２相３線式信号伝送装置は、伝送路を電力線一つに限った場合の電磁波の発生を抑制する装置である。
【請求項１０】
擬似クロック回路は、伝送路を電力線一つに限った場合において周波数を音や他の媒体に変換せずにそのままより高速に送り出すだめの装置である。
【発明の詳細な説明】
【技術分野】
【０００１】  本発明は、家庭の家電とオフィスのパソコン・プリンタなどと、そのまま両立可能なＬＡＮを構築するＯＳ、およびその具現方法、周辺装置の形式に関する。
【背景技術】
【０００２】  従来のＯＳは、主としてオフィス用に設計されたものであり、家電を取り込む必要も方法もなかった。また、ＬＡＮを構築する場合、たいていは安全上の理由から、専用のケーブル、スイッチングハブなどを必要とし、配線が煩雑であった。【０００３】  また、家庭用のＬＡＮでは、電路には電力線、無線、光通信などさまざまの試みがある反面、パソコンのＯＳのような一般的な制御方法がなかった。【０００４】  従来のＯＣ用のＯＳはＷｉｎｄｏｗｓに見られるように、基本的に事務用のソフトウェア操作を対象目的としたものであった。【０００５】  家電操作を目的とした家庭用のＬＡＮでは、制御装置としてテレビや専用のＰＣを用いるものがあるが、そのままではオフィスでは使用できない難点があった（例えば、特許文献１、２参照。）。【０００６】  本ＯＳは、既存のＬＡＮ用信号伝達方式には依存せず、また操作目的をソフトウェア、電気製品を問わず一元的に扱えるようにしたものである。
【特許文献１】  特開２００３−０３７５６０
【非特許文献１】  「カタログ  Ｗｉｎｄｏｗｓ  Ｖｉｓｔａ」図２７。
【発明の開示】
【発明が解決しようとする課題】
【０００７】  上記のように、従来のＯＳや家電用のＬＡＮでは、オフィスと家電とをそのまま一つのＬＡＮ構築方法で取り扱うことができなかった。【０００８】  本発明は、このような問題を解決すべく考案したものであり、第一にアイコン制御による３次元ＯＳの開発である。３次元の意義については後述する。【０００９】  また、家庭とオフィス両方で扱える制御装置としては、ＰＣのＯＳが最もふさわしく、実際、オフィスでも扱えるＬＡＮを構築するには、現在では、簡便な方法としてはＰＣのＯＳ以外には存在しない。
【課題を解決するための手段】
【００１０】  上記第一の課題を解決する方法として採用するのが以下のような操作簡便の方法である。それはＰＣ上に、部屋の写真画像をそのまま取り入れ、ＰＣやプリンタ、家電をアイコン化してそれらを操作するものである。オフィス用のＬＡＮでは、たとえばプリンタを使用する場合、ドライバをＣＤなどから手動でインストールし、選択する場合も一連の操作の後、型式番号を選ぶなどの不便があった。【００１１】  第二に、家電操作とオフィスでのＬＡＮ構築という異なった制御をＰＣ内で一元的に処理できるＯＳを構築する。【００１２】  上記第一の作用として、基本原則として、３次元ＯＳ画像と現実の風景とは一致していた方がより便利であり、ＰＣ上の部屋写真の中のプリンタをクリックすればＰＣが稼動するといった仕様であれば、家庭でもオフィスでもより簡便で、選択しそこなうなどの誤りが少なくなる。またプリンタや家電が増設されたとしても、本ＬＡＮ上ではハード的な処理たとえばケーブルの配線などはマニュアル的には一切必要ではなく、アイコンの追加という形態だけで済む。【００１３】  第二の作用として、同一のＯＳで、同一のソフトが、家庭でもオフィスでも同じように扱えるし、家電ＬＡＮも、オフィスＬＡＮも意識せずに構築できる。無線ＬＡＮやその他の伝達方式によるＬＡＮでもかまわないが、本事例では、後述のように〔請求項８〕および〔請求項９〕のため、一部に、一例として既存電力線を用いたＬＡＮを構築する。【００１４】  本ＯＳは、新たなプグラムを作成し、あるいは既存のプログラムを変更して、カーネルを再構築することによって、作成する。【００１５】  また、ハードしては、以下で定義する、パソコンや電気製品用のインターフェイスおよび一例として中継器、２相３線式信号伝送装置の開発によって構築する。
【発明の効果】
【００１６】  上述のように、本ＯＳによるアイコン操作という簡便な方法により、従来カテゴリーにおいてはまったく別物であった家電ＬＡＮとオフィスＬＡＮを同等なものとして実現する。
【発明の実施するための形態】
【００１７】  以下、本発明の実施の形態を、〔００１８〕〜〔０１２９〕および図１〜図５９、表１〜表１２に基づいて説明する。なお、以下に述べるＰＣ本体の模式図１１０００は、基本的に必要とされる装置だけを取り上げたものであり、信号化装置としても、既存でも、ＲＳ２３２Ｃ、モデム、プリンタポート、ＬＡＮ、ＵＳＢ、ＳＣＳＩなどさまざまの外部通信装置が存在し、それらをそのまま使用してもよいし、新たに開発してもよい。ＯＳの性格上、〔請求項８〕および〔請求項９〕を除いて、それらはある形式上の定義として用いる。本ＯＳは、ＰＣや電気製品の一定の機能と、プログラムと、以下のテーブル、および具体的な通信手段によって具現化される。それぞれがマッチしていればよいのであって、例えば開発言語であるとか、通信手段であるとか、特定の形式を要求はしない。
【００１８】  電気製品のインターフェイスにしても、基本的には本ＯＳに必要な機能をもった装置の組み合わせの定義であり、既存でマイコンやメモリを使用した電気製品があり、それらが流用可能であれば、インターフェイスには新たな演算装置やメモリを必要とはしない。いくらかのハード的な付加と、プログラムの変更だけで済むかも知れない。
【００１９】  本ＯＳにおいて、ＰＣにおいては、プログラム自体以外に必要なメモリを、表１から表６までの不揮発性メモリ領域に、また表７から表９までの、データだけが電源と共に消える（あるいは、ＰＣ立ち上げと共に、その都度テーブルを作成する方法による）揮発性の領域に確保する。表とは、プログラム開発ではテーブルと呼ばれるもののことである。それぞれに、情報用として適当な量の揮発性メモリを確保する。ここでは、ＯＳ本来の機能を実現するためのプロセス管理であるとか、メモリ管理のための、外部には意識されない類のテーブルは含まれていない。
【００２０】  電気製品においては、表１０から表１１までを不揮発性の領域に、表１２を同上と同じ意味での揮発性領域に確保する。
【００２１】  表１には、いくつかの部屋番号、そこに配置された電気製品の種類および番号（固有番号）、それらのアイコン番号などを記す。
【００２２】  表２には、各部屋の画像データを設定する。
【００２３】  表３には、各アイコンデータを設定する。
【００２４】  表４には、各ＰＣのアクセス件を設定する。
【００２５】  表５には、システム手帳のアイコン弊習機能や他の機能を設定する。
【００２６】  表６には、システム手帳のアイコンデータ、および他のデータを設定する。
【００２７】  表７には、ＰＣ入出力フラグを設定する。
【００２８】  表８には、ＰＣエントランス（架空装置）の入出力情報を書き込む。
【００２９】  表９には、ＰＣの稼動状況を書き込む。ある電気製品をスイッチを入れっ放しにしないなどの予防のためである。
【００３０】  表１０には、その電気製品の操作情報を書き込む。
【００３１】  表１１には、ドライバ情報を書き込む。
【００３２】  表１２には、電気製品の入出力情報を設定する。
【００３３】  ＰＣは、初期状態において、上記の各表を検証し、未記入があり、もしくは揮発性表で初期化がなされていない場合、その都度、記入する操作を画面上にメッセージとして出す。図２８のフローチャートがそれである。
【００３４】  電気製品は、まず接続された状態で、自身の固有番号があるかを確認し、なければ、ＰＣによってそれが与えられるまで未確認としての情報を回路に流す。
【００３５】  本発明の第一の手段として、ＰＣやプリンタ、家電というものをアイコン化する必要があり、そのためには、部屋の写真をＰＣに取り込む必要がある。そのためには、図１のように、各部屋ごとに、壁４枚、天井、床各１枚の、計６枚の写真を撮り、ケーブルやカードを通してパソコンに取り込む。
【００３６】  それらの作業は、図２のようなＰＣ上のメニューにより、手順に従って行う。
【００３７】  ＰＣに読み込んだこの写真情報は、ＰＣ本体１１０００の不揮発性メモリ１１００３に表１の形で３次元配列データとして書き込む。
【００３８】  次に、図３のように、取り込んだ画像表示上の電気製品を囲むことにより、それをアイコン化する。
【００３９】  上記アイコンエリア情報は、３次元配列データとして、ＰＣ本体１１０００の不揮発性メモリ１１００３に、表１のようなテーブルで書き込む。
【００４０】  この電気製品のその他の情報取得作業も、同じように、図４のようなメニュー上で、電気製品の種類、台数などを入力することで行う。
【００４１】  これらの情報は、電気製品の、固有の識別番号として、ＰＣ本体１１０００の不揮発性メモリ１１００３、および電気製品のインターフェイス２１０００の不揮発性メモリ２１００３に表１として書き込む。
【００４２】  この作業は、電気製品のインターフェイス上のメモリに情報を書き込む必要から、実際に電気製品をＯＮ状態で接続して行う。
【００４３】  電気製品との通信は、ＰＣ側では、信号化装置１１００１を介して行う。その際、入出力情報の表８を参照する。
【００４４】  電気製品側では、信号化装置２１００１を介して演算装置２１００６が行う。この場合も、入出力情報の表１２を参照する。
【００４５】  通信信号の形式はバケットとする。〔００１７〕〔００４５〕などの通信手段については、後に中継器で詳述する。
【００４６】  電気製品本体とインターフェイス２１０００との通信は、エントランス２１００５を介して演算装置２１００６が行う。
【００４７】  もし、プリンタやテレビ・ビデオやステレオ、レンジなどのように複雑な機能があり、通常ドライバが必要な電気製品は、そのインターフェイス２１０００のメモリ２１００３上にドライバを備えている。そして、ＰＣがそのドライバをインストールしているかいないかの情報は、ＰＣ本体１１０００の不揮発性メモリ１１００３に表１の形で記載されており、未インストールならば、ユーザーに画面上で伝える。必要ならＰＣはドライバをインストールする。
【００４８】  同様な処理により、すべての電気製品情報をＰＣに取り込み、あるいは電気製品が追加された場合には、随時アイコン化することができる。このようにして、上記表１は現実の電気製品情報と一致させる。
【００４９】  部屋の画像情報とともに、固有のＰＣの部屋情報として、そのＰＣ本体１１０００上の不揮発性メモリ１１００３の表２、表３に保存する。
【００５０】  家庭のように部屋がいくつかある場合、あるいは複数のＰＣで全体を管理する場合は、ＰＣ本体１１０００の不揮発性メモリ１１００３上の、表４のようなアクセス権テーブルにより、各部屋の制御は、各居室の使用者、あるいは各ＰＣ（この場合はクライアント）の許諾を必要とする。ただし、優先権は、Ｎｏ．１のＰＣすなわちサーバーにあるものとする。
【００５１】  新たに持ち込まれた電気製品はそのままではデフォルト状態であり、コンセントに差し込まれたときには、電路を通して末確認の機器としての情報が流れる。その部屋のＰＣはその信号を受け取り、それを識別するように求めるよう、画面にメッセセージを出す。この場合、〔００３５〕〜〔００５０〕のような手順で新たに部屋写真を取り込む必要がなければ、予めＰＣ内に用意されているデフォルトのアイコンを部屋の適当な位置に配置することで、アイコン化する。
【００５２】  サーバーは、自己の電気製品種別がパソコンであることと、部屋番号、台数番号がともに１であることから、自らをサーバーとして理解する。サーバーＰＣは、全体の部屋を管理することができる。
【００５３】  クライアントＰＣはそれが置かれている部屋、および表４によってアクセスの許可されている部屋のみ管理することができる。
【００５４】  また、新たなＰＣが持ち込まれた場合、上記と同様に未確認機器の情報が電路に流れる。この場合、ＰＣは、自動的に、未使用最小のＮｏ．を取得する。もし、既存の番を取得している場合でも、再度、新たな番号を取り直す。このようにして、各ＰＣも固有の識別番号を取得する。
【００５５】  この場合のこのＰＣには、サーバーＰＣから部屋情報表１が送られる。
【００５６】  あるいは、たとえば居室Ａに常備してあったＰＣが居室Ｂに持ち込まれた場合、そこに常備のＰＣがあれば、それから部屋情報を送ってもらうことができる。
【００５７】  上記の一連の作業によって、すべてのＰＣを含む電気製品がアイコン化されると同時に、固有の識別番号を取得する。
【００５８】  以上の原理に従って、ＬＡＮを使用して情報、この場合は電気製品のドライバを収集する流れを描いたものが図５１および図５２のフローチャートである。ここでのパケット情報には、すでに相手先として、固有の識別番号が記入されている。したがって、情報は固有の相手先とだけのやり取りである。
【００５９】  次に、アイコン制御の説明をする。図５のような居間がすでにＰＣ上に画像として取り込まれ、各電器製品がアイコン化されているものとする。ここで、テレビ・ビデオを選択したとする。カーソルでクリックしたり、画面をタッチする方法でもよい。以下、文字入力を除いて、選択は、カーソル、画面タッチなどを問わない。すると、画面はＴＶを除いて暗転（別の方法でもよい）し、画面にはテレビ・ビデオ制御用のコントロールメニューが現れる。図６。
【００６０】  コントロールメニューから、適当な制御を選択する。通信は、上記の方法によって、ＰＣと電気製品の間で行う。具体的な通信の方法については、後述する。
【００６１】  上記通信により、ＰＣが電気製品を制御し、あるいは電気製品からＰＣが情報を取得する。入出力情報表７が書き換えられる。
【００６２】  ＰＣが取得した情報は、その種類によって画面に表示したり、ディスクに保存したり、内部メモリ、インターフェイス上のメモリなどに保存する。
【００６３】  メニューから「終了」を選択することによって、テレビ・ビデオの制御は終了する。入出力情報表７が書き換えられる。
【００６４】  次に、ドライバを必要とない証明器具のような簡単な電気製品について説明する。この場合の電気製品用のインターフェイスは、２２０００である。
【００６５】  電気製品用インターフェイス２２０００は、演算装置をもたない。ＩＣやトランジスタなどだけで組み立てられたものである。２２０００は、固有の識別番号を判断する回路の原理図である。同様の原理で、他の情報も判断できる。
【００６６】  同じ部屋で電灯を選択したとする。図７。
【００６７】  図８のように、上記と同様に画面は電灯を除いて暗転する。しかし、電灯にはドライバが必要ではないので、メニューは表示されない。代わりに、各電器製品のスイッチＯＮ・ＯＦＦや電気使用量などがモニター表示される。
【００６８】  このことによって、各電気製品の使用状況がわかり、たとえばスイッチの切り忘れなどがチェックできる。
【００６９】  スイッチを入れる（切る）場合は、ＯＦＦ（ＯＮ）の表示を選択する。
【００７０】  取り込まれた部屋の画像はスクロール可能である。方法は問わない。カーソルでもよいし、画面に手で触れる方法でもよい。
【００７１】  図９の居室の背面に図１４のようなキッチンがあったとする。画面をスクロールすることによって、このキッチンを画面中央に表示することができる。
【００７２】  ここで、オーブン・レンジを選択したとする。画面はオーブン・レンジを除いて暗転し、メニューが現れる。図１０。
【００７３】  スクロールの限界は、左右は３６０度、上下１８０度である。
【００７４】  以上の一連の操作によって、ＰＣ内部を３次元化することが可能であり、各部屋とＰＣの画面とが一致しているために、必要な電気製品を探すのが容易である。
【００７５】  次に、家庭でのＬＡＮの拡張機能について説明する。同家庭で、別の居室図１１があったとする。ここにもＰＣがあるとし、このクライアントＰＣでの機能を説明する。このＰＣにはこの居室が描画されている。そこには電気製品がアイコンとして表示されている。ここで、ステレオを選択してみる。ステレオ以外の背景は暗転し、ステレオ操作のメニューが表示される。図１２。
【００７６】  メニューによってステレオを操作することが可能である。
【００７７】  家電以外の操作について説明する。インターネットに接続してみる。まず、電気製品の中からパソコンを選択する。図１３。すると、パソコンの画面が拡大表示される。図１４。
【００７８】  画面のシステム手帳の中から、ブラウザ（例ではエクスプローラー）を選択する。図１４。
【００７９】すると、インターネット接続のパケット情報がサーパーに届き、サーバーＰＣを通じてインターネットに接続される。図１５。
【００８０】  もちろん、ＰＣ上のアイコン編集手帳から、別のさまざまなソフトウェアーをアイコン選択して選択して実行することも可能である。この機能については、後述する。
【００８１】  図１６は、インターネットに接続し、音楽をダウンロードしながら、ＰＣのフォルダにダウンロードしているところである。
【００８２】さらに、この部屋で、別の部屋を選択するには、ＰＣ画面上で右クリックのような操作をすることにより、表１の情報の中から、部屋選択のメニューを表示させることができる。図１７。
【００８３】  次にオフィスでの操作を説明する。本ＯＳの機能や処理は、本質的に同一であり、流れも家庭の場合と変わらない。図５の居間の代わりに、図１８のオフィスを表示する。
【００８４】  その中で、自分のＰＣか、必要ならサーバーを選択して必要な事務処理を開始する。図１９。
【００８５】  プリンタを使う場合、従来のようにＬＡＮに接続されたプリンタの機種名を選ぶ必要はなく、これも部屋画像の中から、必要なプリンタアイコンを選択すればよい。図２０。
【００８６】  通常のようにプリンまたドライバが作動し、画面にはプリントメニューが現れる（図２１）ので、必要なメニューを選択して印刷する。
【００８７】  また、どれかのＰＣと交信したい場合は、部屋画像の中で、そのＰＣを選択すればよい。図２２および図２３。
【００８８】  オフィス選択には、図２６のような初期画面から入る方法がある。
【００８９】  ここでシステム手帳を選択すると、図１４の場合と同様に、ソフトウェアーなどを選択することができる。
【００９０】ここから、図１９のような事務処理を開始することができるのである。
【００９１】  ここでプリンタを選択する場合は、事務ソフトウェアーウィンドウを一端小さくし、余白で右クリックのような操作を行う。すると、部屋選択のメニューが現れる（図２４）ので、フロアを選択する。図１８が表示される。ここで、プリンタを選択することが可能となる。図２０および図２１。
【００９２】  以上〔００５９〕〜〔００８２〕の家庭編、および〔００８３〕〜〔００９１〕のオフィス編の流れを示したのが、図２９のフローチャートである。
【００９３】  ここで、▲１▼の垂直な一本のフローが〔００５９〕〜〔００８２〕の家庭編を示す。またそれは、〔００８３〕〜〔００９１〕のオフィス編の流れでもある。一方〔００８３〕〜〔００９１〕のオフィス編の流れは▲３▼のバイパスとして機能している。▲３▼のバイパスは、家庭でも可能である。〔００８２〕や〔００９１〕の部屋選択のメニューは、▲２▼のルーチンとして表され、ほとんどの表示の中で機能するものである。
【００９４】  〔００９３〕は、本ＯＳが家庭とオフィスを区別しないで具現することを示している。
【００９５】  次に、アイコン編集機能について述べる。初期画面のメニューでオフィスモードを選択するとシステム手帳が現れるが、前述したように、これは一つにはさまざまなアイコンを収めたものであり（図１４）、別の、例えばスケジュール機能などももたせることが可能である。表５、表６参照。
【００９６】  例えば、Ｗｉｎｄｗｓには、アイコン編集機能はなく、種々雑多なアイコンを一枚の画面に並べるだけである。図２５。
【００９７】  本ＯＳでは、このシステム手帳の各ページに、種類ごとにアイコンを編集することが可能である。１ページ目にはソフト、５ページ目にはプロジェクトＺのファイルのショートカット群、というようにカテゴリー別に編集することが可能である。表５、表６参照。
【００９８】  そうすることにより、ソフトウェアーアイコンをすぐに見つけたり、あるプロジェクトに関連するファイルを一括して閲覧することが可能である。
【００９９】  〔００５９〕〜〔００８２〕〔００８３〕〜〔００９１〕および〔００９５〕〜〔００９８〕により、本ＯＳの家庭とオフィス、家電とＰＣその他を区別しないで操作できるアイコン操作で簡便に制御できるＯＳが具現されている。
【０１００】  図３９の、２相３線式回路５００００は、原理的に電磁波を発生させない原理装置である。
【０１０１】  図４０装置５０００１および図４１装置５０００２は、上記の原理を実現する装置である。
【０１０２】  電磁波は、その名のとおり電場と磁場によって送られる波である。電位が変化するとその周囲には磁場が発生する。その発生の方法は規則的である。ある電線に交流電流が流れると、電流の方向に右手の親指を向けると他の４本の指の向く方向に、その電流の変化の大きさに見合った磁場が発生する。
【０１０３】  もし、上記と接近した電線に、上記と逆の方向に電流が流れると、これによって逆向きの磁場が発生することになる。これら二つの磁場は相殺し合って、周囲には磁場が発生しないことになる。磁場が発生しないと、電磁波は発生しない。
【０１０４】  図３４の２相３線式伝送方式５００００は、このような原理に基づく装置である。
【０１０５】  また、反転相出力ＡおよびＢは、電線Ｃを介して戻ってくるが、相が逆で、大きさの絶対値が等しい信号なので、実際には電流は流れない。したがって、電線Ｃは不要である。スター式の３相交流の送電方法と同じである。
【０１０６】  図３５、２相信号発信装置５０００１は、正出力に対して、反転の負出力を発生する装置である。
【０１０７】  図３６、２相信号受信装置５０００２は、受信した負信号を処理する装置である。装置５００００では、実際には信号の：減衰が予想されるために、電線Ｃには電流が流れる可能性がある。そこで、上記スター式３相交流送電方法と同じように、戻り線をアースすることで、微弱な誤差電流の問題を解決しようとするのが、装置５０００２の原理である。
【０１０８】  中継器は、回路上に子ブレーカーの下で、均等に配置する。家庭の場合図３３およぴ図３４、オフィスの場合図３５およぴ図３６。
【０１０９】  その機能は、混雑信号の除去（図４２）、および信号の整理（図４３）である。
【０１１０】  各ＰＣや電気製品は自由に信号を回路中に発信する。
【０１１１】  そのために、回路中で信号が重なり、化けた信号が相手に届く可能性がある。
【０１１２】  その回避手段として、すべての電気製品は、本信号を送り出す前に事前信号を出す。
【０１１３】  事前信号は、フォーマットが完全に等しく、ヘッダー部分とフッター部分の固有識別番号だけが互いに異なる信号である。したがって、混信してフォーマットが崩れたり、ヘッダー部とフッター部の固有識別番号が違う場合は、混信として中継器は除去する。図４２。回路状態４０００２。
【０１１４】  事前信号は本来自身宛てに送られた信号であり、すべての電気製品に対しても届くが、発信元に戻ってくるものである。
【０１１５】  一定時間経っても事前信号が戻ってこなかった場合、混信として中継器が除去した可能性がある。その場合、発信元の電気製品は、ある微小な範囲のランダムな時間を置いて、発信元がＰＣならばタイマー１１００４、他の電気製品ならば２１００４により、再度事前信号を送り出す。
【０１１６】  中継器は、形式どおりの事前信号がとおった場合、他の信号を遮断する。図４３。４０００３において、事前信号２を通過させ、事前信号１を除去する。
【０１１７】  他の電気製品は、他の事前信号が流れているのを受信すると、一切の信号を送り出さない。各電気製品は、メモリ１１００２あるいは、メモリ２１００２上の、表７および表１２に送り出待ちフラグを立てる。
【０１１８】  件の電気製品は、事前信号を受け取ると、本信号をＰＣなりに送り出し、各電器製品の上記送り出待ちフラグを消す。そして、メモリ１１００２あるいは、メモリ２１００２上の表７のように、自身の信号待ちフラグを立てる。
【０１１９】  この時点で、他の電気製品は、信号を送り出すことができる。
【０１２０】  中継器は、その下に接続されている電気製品を記憶する機能をもつ。
【０１２１】  未確認の機器を除いて、それらの電気製品を排他的に優先する。
【０１２２】  図３７および図３８、中継器状態４０００５の場合、▲１▼と▲２▼で信号の短絡回路が出来上がることを示す。これらの短絡回路では、自身の回路に関係がない信号は、中継器によって、除去される。
【０１２３】  また、中継器にはタイマー機能があり、ある一定以上回路を使用している電気製品に対しては、一時中断し、送り出し待ちの事前信号があればそれを許可する。
【０１２４】  上記〔０１２２〕〜〔０１２４〕によって、他の同回路の電気製品からの事前信号がない限り、電気製品は、回路の一部を独占的に使用できる。
【０１２５】  以上〔０１０８〕〜〔０１２４〕は、信号を一つの周波数あるいは周波数域に限った場合の動作原理であり、例えば事前周波数を別のある帯域にして専用のバンドパスフィルタで読み込むようにすれば、信号の中断は避けられる。
【０１２６】  また、インターネットやビデオの録画、ダウンロードなども長時間使用されることが予想され、そういった場合も、別のいくつかの周波数帯域を当てることで、同様に中断が避けられる。
【０１２７】  以上中継器の機能と、上述した通信の一例を示す図５１および図５２によって入出力の際のフラグやタイマーの使用方法、本体とのやり取りの仕方が決定され、通信全般の仕様が決まる。
【０１２８】  擬似クロック回路は、２つの周波数▲１▼と▲２▼があった場合にそれらを同期させる原理である。図６０の図ａおよび図ｂ。
【０１２９】  ２つの周波数の差はコンデンサの容量の違いとして物理的に記憶される。図６０の図ｃ。
【０１３０】  図６０図ｃの可変コンデンサの容量を厳密に定義できれば、この原理によって、２つの周波数▲１▼と▲２▼は、相互の変換が可能となる。
【０１３１】  しかし、図６０図ｃの回路自体は、静電容量（ｑ＋（ｑ−ｑ‘））を適当に決めることによって、一つのクロックとして動作することが分かる。
【０１３２】  上記の動作原理から、図６０の、図ｃ−＞図ｂ−＞図ａと機能させることにより、電力線回路へ適当な周波数の信号を送り出し、それを受信して必要な周波数に戻すという装置として用いることができる。従来は、音などに媒体を変更して信号化していたが、その必要がなくなる。
【０１３３】  図〔４４〕〜図〔５９〕による全体のフローチャートを載せて、ＯＳの根拠とする。
【図面の簡単な説明】
【０１３４】
【図１】部屋の写真を取り込む
【図２】写真取り込みのメニュー
【図３】電気製品のアイコン化操作
【図４】アイコン化操作のメニュー
【図５】居室でテレビを選択
【図６】背景が暗転し、テレビのコントロールパネルが表示される
【図７】居室で照明器具を選択
【図８】各電器製品の使用状況および電力使用状況が表示される
【図９】居室背面の台所を表示し、オーブンレンジを選択
【図１０】オーブンレンズのメニューが表示される
【図１１】別の居室でステレオを選択
【図１２】ステレオのメニューーが表示される
【図１３】同じ居室でパソコンを選択
【図１４】パソコンのメニューが表示され、エクスプローラーを選択
【図１５】インターネットに接続し、ヤフーが現れる
【図１６】マルチタスク画面
【図１７】家庭モードでの部屋メニューの表示
【図１８】通常のオフィスモードの初期表示
【図１９】事務処理の例
【図２０】プリンタの選択
【図２１】プリンタドライバの起動
【図２２】パソコン通信で相手を選択する
【図２３】相手パソコンの許可の確認
【図２４】オィスモードで、部屋メニューの表示
【図２５】Ｗｉｎｄｏｗｓ  でのアイコン表示例
【図２６】初期画面からのオフィスモードの入り方例
【図２７】Ｗｉｎｄｏｗｓ  Ｖｉｓｔａ  の画面
【図２８】不揮発性のテーブルの初期読み取りフロー
【図２９】家庭とオフィスでのフロー
【図３０】パソコン本体の模式図
【図３１】家電用インターフェイス
【図３２】照明器具など簡単な電気製品のインターフェイス、その回路例
【図３３】家庭での中継器の配置例▲１▼
【図３４】家庭での中継器の配置例▲２▼
【図３５】オフィスでの中継器の配置例▲１▼
【図３６】オフィスでの中継器の配置例▲２▼
【図３７】中継器の短絡回路例▲１▼
【図３８】中継器の短絡回路例▲２▼
【図３９】２相３線式回路の基本原理
【図４０】２相信号発信回路例
【図４１】２相信号受信回路例
【図４２】回路中での混信
【図４３】回路中での複数の事前信号の発生
【図４４】パソコン初期処理のフローチャート▲１▼
【図４５】パソコン初期処理のフローチャート▲２▼
【図４６】パスワード入力画面、部屋モード選択のフローチャート▲１▼
【図４７】パスワード入力画面、部屋モード選択のフローチャート▲２▼
【図４８】部屋の３次元処理のフローチャート▲１▼
【図４９】部屋の３次元処理のフローチャート▲２▼
【図５０】部屋の３次元処理のフローチャート▲３▼
【図５１】部屋画像の新規取り込み部屋のフローチャート▲１▼
【図５２】部屋画像の新規取り込み部屋のフローチャート▲２▼
【図５３】事前信号および本信号の送り出しのフローチャート▲１▼
【図５４】事前信号および本信号の送り出しのフローチャート▲２▼
【図５５】システム手帳からの起動のフローチャート▲１▼
【図５６】システム手帳からの起動のフローチャート▲２▼
【図５７】オフィスでのサーバーの動作のフローチャート▲１▼
【図５８】オフィスでのサーバーの動作のフローチャート▲２▼
【図５９】オフィスでのサーバーの動作のフローチャート▲３▼
【図６０】擬似クロック回路
【０１３５】
【表１】
2009054123.tif 000003
2009054123.tif 000004
【０１３６】
【表２】
2009054123.tif 000005
【０１３７】
【表３】
2009054123.tif 000006
2009054123.tif 000007
【０１３８】
【表４】
2009054123.tif 000008
【０１３９】
【表５】
2009054123.tif 000009
2009054123.tif 000010
【０１４０】
【表６】
2009054123.tif 000011
2009054123.tif 000012
【０１４１】
【表７】
2009054123.tif 000013
【０１４２】
【表８】
2009054123.tif 000014
【０１４３】
【表９】
2009054123.tif 000015
【０１４４】
【表１０】
2009054123.tif 000016
2009054123.tif 000017
【０１４５】
【表１１】
2009054123.tif 000018
【０１４６】
【表１２】
2009054123.tif 000019
【図１】
2009054123.tif 000020
【図２】
2009054123.tif 000021
【図３】
2009054123.tif 000022
【図４】
2009054123.tif 000023
【図５】
2009054123.tif 000024
【図６】
2009054123.tif 000025
【図７】
2009054123.tif 000026
【図８】
2009054123.tif 000027
【図９】
2009054123.tif 000028
【図１０】
2009054123.tif 000029
【図１１】
2009054123.tif 000030
【図１２】
2009054123.tif 000031
【図１３】
2009054123.tif 000032
【図１４】
2009054123.tif 000033
【図１５】
2009054123.tif 000034
【図１６】
2009054123.tif 000035
【図１７】
2009054123.tif 000036
【図１８】
2009054123.tif 000037
【図１９】
2009054123.tif 000038
【図２０】
2009054123.tif 000039
【図２１】
2009054123.tif 000040
【図２２】
2009054123.tif 000041
【図２３】
2009054123.tif 000042
【図２４】
2009054123.tif 000043
【図２５】
2009054123.tif 000044
【図２６】
2009054123.tif 000045
【図２７】
2009054123.tif 000046
【図２８】
2009054123.tif 000047
【図２９】
2009054123.tif 000048
【図３０】
2009054123.tif 000049
【図３１】
2009054123.tif 000050
【図３２】
2009054123.tif 000051
【図３３】
2009054123.tif 000052
【図３４】
2009054123.tif 000053
【図３５】
2009054123.tif 000054
【図３６】
2009054123.tif 000055
【図３７】
2009054123.tif 000056
【図３８】
2009054123.tif 000057
【図３９】
2009054123.tif 000058
【図４０】
2009054123.tif 000059
【図４１】
2009054123.tif 000060
【図４２】
2009054123.tif 000061
【図４３】
2009054123.tif 000062
【図４４】
2009054123.tif 000063
【図４５】
2009054123.tif 000064
【図４６】
2009054123.tif 000065
【図４７】
2009054123.tif 000066
【図４８】
2009054123.tif 000067
【図４９】
2009054123.tif 000068
【図５０】
2009054123.tif 000069
【図５１】
2009054123.tif 000070
【図５２】
2009054123.tif 000071
【図５３】
2009054123.tif 000072
【図５４】
2009054123.tif 000073
【図５５】
2009054123.tif 000074
【図５６】
2009054123.tif 000075
【図５７】
2009054123.tif 000076
【図５８】
2009054123.tif 000077
【図５９】
2009054123.tif 000078
【図６０】
2009054123.tif 000079